(57)【要約】【課題】  多発する突然死の原因となる心臓震盪を防護するために制定された安全基準の必要にしてかつ十分な範囲を覆い、緩衝性能を十分に有した心臓震盪保護パッドを通常の競技用プロテクター本体に組み入れ、一般の球技用プロテクターに於いても、同震盪の発症を防ぎ得る性能を具備させること。【解決手段】  心臓を中心とする保護範囲を十分に覆い、かつ全体としての運動性能を妨げることのないよう、パッド部を本体の胸郭部に組み入れるのに心臓側に偏って心臓パッドを内蔵したため、その部分が左右非対称な形状を構成するプロテクターパッド本体を有する球技用プロテクター。【選択図】図２
2008168088.tif 000002
【特許請求の範囲】
【請求項１】
心臓震盪の発端となる心室細動を引き起こすような衝撃に対しても十分なる防護性能が要求される心臓震盪防護パッド体を球技捕手やゴールキーパー用保護具にも組み入れるため、従来の対称型プロテクター本体緩衝突起部の一部やその基底部をその形状でくり抜き挿入したため、胸郭部のパッド形状が左右非対称として形成された緩衝体形状を有するプロテクター。
【発明の詳細な説明】
【技術分野】
【０００１】    本発明は、心臓震盪を防ぐ保護パッドを野球など球技プロテクターに組み込むことに関する。
【背景技術】
【０００２】    最近多発する突然死の原因となる心臓震盪は、若年スポーツ選手の死因の第２位に位置するほどであり、その危険性にたいし警鐘が鳴らされ社会的に注目を集めている。【０００３】    各競技団体ではそれを危惧し、学識経験者、消費生活用品安全協会、用具製造業者団体などと共に専門委員会を発足させ、国内外での事故発症状況と用具の適性等を調査し、有効な心臓震盪パッドの基準作りを行った。【０００４】    そもそも心臓震盪は心臓の鼓動タイミング、左心室収縮のごく狭い期間に比較的軽い衝撃を受けることにより細動を引き起こし、これが心臓震盪に発展し突然死の原因となっていることがごく最近の研究で判ってきた。米国の医学学会誌による発表によれば市販されている従来型のプロテクターでは、骨折や外傷を防護することは可能であっても、微妙な左心室細動の発症を抑えるには全く不十分であることが発表された。心臓震盪パッド足り得るためには心臓を中心とし直径２０センチメートル弱（成人において）の円形範囲を相当の緩衝力を持って防護する必要があることが判明し、このパッドの安全基準ではこの範囲内が全て均一に防護されていることが必須とされている。
【非特許文献１】”ＰＥＤＩＡＴＲＩＣＳ”，ＯＦＦＩＣＩＡＬ  ＪＯＵＲＮＡＬ  ＯＦ  ＴＨＥ  ＡＭＥＲＩＣＡＮ  ＡＣＡＤＥＭＹ  ＯＦ  ＰＥＤＩＡＴＲＩＣＳ，ＮＯＶＥＭＢＥＲ，２００６  ｈｔｔｐ：／／ｗｗｗ．ｐｅｄｉａｔｒｉｃｓ．ｏｒｇ／ｃｇｉ／ｃｏｎｔｅｎｔ／ｆｕｌｌ／１１７／４／ｅ６５６
【発明の開示】
【発明が解決しようとする課題】
【０００５】    球技用プロテクターを着用する捕手等にあっても、心臓震盪の発症を避ける機能を備えることは必須であり、急務である。首から下、腰から上全体を覆う形状のプロテクターを着けて球技に臨む捕手やゴールキーパーは投球やシュートされたパックなどを捕球し返球するなど自在な身体の動きを防具のために阻害されてはならないことは必定である。【０００６】しかるに、心臓震盪パッドの要求する対衝撃性能と保護範囲の大きさは、運動性能豊な従来型のプロテクターパッドの意匠形式とは互いに相容れぬところがある。【０００７】    心臓震盪保護専用パッドの設計においては、保護性能を満足する素材の開発や従来の素材の組合せ等により基準を満たすパッド体が形成できれば、競技衣の下に着込むものや競技衣の外側に着用するものであっても、心臓の位置を勘案し、合目的的に意匠を凝らすことは専用パッド単体であるからして対称型非対称型を問わず比較的容易である。【０００８】    球技ではその競技本来の守備目的から左右対称型に形成されて実績のある球技捕手、ゴールキーパー用プロテクター本体ベース部に心臓震盪防護パッド部を運動性能の犠牲によることなく組み入れたい。【０００９】    心臓震盪の発端となる微弱な心室細動を引き起こさないことが目標とされる同防護パッドでの緩衝要求値は、外傷や骨折からの防御や捕球具の延長としての性能を満たせばよい従来の捕手用プロテクターのそれとは比較ならないほど高いものである。【００１０】    高性能で高価な緩衝素材が必要とされるのは必然である。素材の中には発泡材でないゲル状や半ゲル状のものや金属等の剛板郭体を組み入れたもの、あるいは発泡材であっても一激崩壊型の素材で緩衝性能の限界、すなわち「底づき（ボトミング）」を避けようとする試み等が散見される。【００１１】    これらの素材を使用し上半身全体を覆う形状の球技用プロテクターに採用するにはどちらも適さないことは明白である。前者を全体に採用すれば相当な重量に達してしまい実用的でない。後者では一度でも衝撃を受けてしまった部位は緩衝性能を二度と発揮できないため衝撃を受けてしまえばプロテクター全体を廃棄するか、そのたびに製造工場での大修理となってしまう。仮にその部位だけが着脱交換可能式のプロテクターを製作することは可能であるが、そのためにコスト高となることは目に見えている。
【課題を解決するための手段】
【００１２】    本発明によるプロテクターでは反復使用可能なフォーム材等の素材、あるいはそれらの組合せで、従来のプロテクターの基部と緩衝突起部との合計厚みを実用厚みと考え、その厚み以内で仕上がるよう素材を積層させ、心臓震盪防護パッドとして有効な部位を作成しプロテクター本体に組みこむこととした。心臓震盪防護パッド体として有効に機能するための必要厚みは採用するフォーム素材の性能やその組合せにより違い、球技の球種による要求値の相違のためにも差が生じるのは自明である。【００１３】    球技用プロテクターにおいて心臓震盪防護パッド部位と心臓震盪に影響のない周縁緩衝体部とが相互に一体感があり極端な高低差など生じないよう、またプロテクター全体の可撓性を作る溝筋が、均一で間断なく必要にして十分な広がりを持つ心臓震盪防護パッド部に架かることないようにするため、その部位を胸の中心から若干心臓寄りの左側に偏心させた箇所に組み込んだため、心臓周囲の胸郭部域においては、左右非対称形状となるプロテクター本体を形成する。
【発明の効果】
【００１４】  このような方法を採る事で、球技用プロテクターでは従来から実績のある意匠を大幅に乱すことなく、新開発の反復使用可能フォーム素材とその新規な組合せによる心臓震盪防護パッド部を組み入れることを可能とした。【００１５】    詳述すればプロテクター全体のうち胸郭部域において右の利き腕側は従来から運動性能上実績のある、柔軟構造を作り出す溝筋部を十分に残した形状可能とし、一方左方の心臓側は過酷な対心臓震盪緩衝性能が要求される心臓震盪防護パッド部位を組み入れた結果として左右非対称形をなし、全体として相矛盾する保護性能と運動性能を確保した形状の球技用プロテクターを製作可能としたものである。
【発明を実施するための最良の形態】
【００１６】    以下、本発明の実施の形態を図１〜図５に基づいて説明する。【００１７】    図１は従来の野球捕手用の左右対称型形状によるプロテクタターの１実施例である。１から４群の緩衝突起部を有し、５は溝筋部である。ネックパッドＡを頚部に設置し、本体外周をＢ周縁ヘリ巻きで仕上げ、肩部のハーネスＣと背部ハーネスのアンカー部Ｄ（背ハーネスは略）で着用するものである。この内、２はＡ頚部延長保護部（ネックガード）と同様の体側部延長保護突起部である。【００１８】    図２は上述のようなプロテクターに心臓心臓パッド部を組み入れたプロテクターの一実施例である。図１と同様、１から４群の緩衝突起部、５は溝筋部、ＡからＤの延長緩衝突起部とハーネス部は、図１と同様である。６は安全基準に従って組み入れられた心臓震盪防止パッド部で、６’は同基準による心臓胸郭部の保護範囲を円形で示したものであり、Ｒはその半径であり、成人においては９ｃｍと決められている。【００１９】    図３Ａは従来の球技用プロテクター胸郭の一部に心臓震盪防護パッド部位６を組み入れるためにプロテクター緩衝基部８に切り欠き部９を穿った様子を説明するために形状を簡略化した一実施例の透視図である。  図３Ｂは図３Ａのプロテクター緩衝基部８の切り欠き９に心臓震盪防護パッド６を組み込んだ箇所の断面図である。【００２０】    図４Ａは従来の球技用プロテクター胸郭の一部に心臓震盪防護パッド部位６を組み入れるためにプロテクター緩衝基部８に切り欠き部９を穿った様子を説明するために形状を簡略化した別実施例の透視図である。  図４Ｂは図４Ａのプロテクター緩衝基部８の切り欠き９に心臓震盪防護パッド６を組み込んだ箇所の断面図である。
【図面の簡単な説明】
【００２１】
【図１】    従来の野球捕手用の左右対称型形状によるプロテクタター
【図２】    心臓震盪パッドを組み入れため左右対非称型形状に形成された野球捕手用のプロテクタター。
【図３Ａ】    プロテクター緩衝体胸郭部の一部に心臓震盪パッドを組み入れるためプロテクター基底部に切り欠き部を設けた一実施例の簡略な透視図である。
【図３Ｂ】    その切り欠き部に心臓震盪パッドを組み入れた断面図である。
【図４Ａ】    プロテクター緩衝体胸郭部の一部に心臓震盪パッドを組み入れるためプロテクター基底部に切り欠き部を設けた別の実施例の簡略な透視図である。
【図４Ｂ】    その切り欠き部に心臓震盪パッドを組み入れた断面図である。
【図５】    プロテクター緩衝体胸郭部に厚みの薄い心臓震盪パッドを組み入れた胸郭部の断面図の一実施例である。
【符号の説明】
【００２２】    １    体側肩上部緩衝突起群
２    体側部延長緩衝突起群
３    体側部緩衝突起群
４    体中央部緩衝突起群
５    緩衝突起部間の谷溝状をなす溝筋部
６    心臓震盪保護パッド部
６‘  心臓震盪保護範囲円のイメージ
７    プロテクターパッド本体の緩衝突起部
８    プロテクターパッド本体の基底部
９    プロテクターパッド本体の緩衝突起部に穿った心臓震盪防護パッド部挿入口
Ａ    頚部延長パッド
Ｂ    プロテクター周縁ヘリ巻き仕上部
Ｃ    肩部ハーネス
Ｄ    背部ハーネス・アンカー
Ｒ    心臓震盪保護範囲円の半径長さ＝９ｃｍ（成人の場合）
【図１】
2008168088.tif 000003
【図２】
2008168088.tif 000004
【図３Ａ】
2008168088.tif 000005
【図３Ｂ】
2008168088.tif 000006
【図４Ａ】
2008168088.tif 000007
【図４Ｂ】
2008168088.tif 000008
【図５】
2008168088.tif 000009